(57)【特許請求の範囲】
【請求項１】
所定の位置関係で配置された複数のシーソーキートップと、
複数のシーソーキートップを包囲するフレームと、
複数のシーソーキートップの両端とフレームとを連結する屈折したサポートブリッジ部と、
複数のシーソーキートップの裏面中央に設けたシーソー運動の支点となる脚部とを、
可撓性樹脂により一体成形したキートップユニットにおいて、
上記複数のシーソーキートップは、上段シーソーキートップ、中段シーソーキートップ、下段シーソーキートップに順次配置され、全体として平面視円形を呈するように形成されており、
且つ、前記上段シーソーキートップ及び下段シーソーキートップは、左右両端から対称的に形成されたサポートブリッジ部にて、それぞれ、フレームに連結されるとともに、該上段シーソーキートップの上端中央部はトーションアーム部を介してフレームの上辺に連結され、該下段シーソーキートップの下端中央部をトーションアーム部を介してフレームの下辺に連絡され、
上記中段シーソーキートップは、左右両端の上下から対称的に形成されたサポートブリッジ部にてフレームに連結されて成り、
更に、前記上中下段シーソーキートップの両端とフレームを連結するサポートブリッジ部は、略Ｚ字状に屈曲し、フレームとシーソーキートップ端部との間隔よりも全長が長くなるように構成されていることを特徴とするキートップユニット。
【発明の詳細な説明】
【０００１】
【発明の属する技術分野】
この発明は、複数のシーソーキートップを並設したキートップユニットに関するものであり、特に、部品点数の削減を図ったキートップユニットに関するものである。
【０００２】
【従来の技術】
従来の技術を図３にしたがって説明する。同図は、衛星放送チューナやＶＴＲ等に用いられるキートップユニット１を示し、上中下の三つのシーソーキートップ２，３，４が全体として円形を構成するデザインとなっている。
【０００３】
各シーソーキートップ２，３，４は、裏面の左右中央に開放軸受５，６，７が設けられており、開放軸受５，６，７をキートップ支持フレーム８の上下方向の軸９に係合させることによって各シーソーキートップ２，３，４が取付けられている。各シーソーキートップ２，３，４の中央より左または右を押せば、各シーソーキートップ２，３，４の左部分と右部分の裏面に対向している一対のスイッチ（図示せず）の一方が押され、例えば、衛星放送チューナにおいては、上段のシーソーキートップ２を押して受信バンドのアップダウン切換えを行い、中段のシーソーキートップ３を押して受信チャネルのアップダウン切換えを行い、下段のシーソーキートップ４を押して音量のアップダウン調節を行うように構成する例が知られている。
【０００４】
【発明が解決しようとする課題】
従来のシーソー形のキートップユニットは、それぞれ個別に成形された複数のシーソーキートップとキートップ支持フレームとによって構成されているので、部品点数が多く高コストとなるとともに、組立てに手間がかかり、シーソーキートップを押した後に所定の位置に復帰させるバネ等も必要となる。また、各シーソーキートップの間隔や高さ等の相対的な位置関係がばらつきやすく、美観に問題を生じることもある。
【０００５】
そこで、キートップユニットの部品点数を削減するとともに、各シーソーキートップの相対的な位置関係の精度を改善するために解決すべき技術的課題が生じてくるのであり、本発明は上記課題を解決することを目的とする。
【０００６】
【課題を解決するための手段】
この発明は、上記目的を達成するために提案するものであり、
所定の位置関係で配置された複数のシーソーキートップと、
複数のシーソーキートップを包囲するフレームと、
複数のシーソーキートップの両端とフレームとを連結する屈折したサポートブリッジ部と、
複数のシーソーキートップの裏面中央に設けたシーソー運動の支点となる脚部とを、
可撓性樹脂により一体成形したキートップユニットにおいて、
上記複数のシーソーキートップは、上段シーソーキートップ、中段シーソーキートップ、下段シーソーキートップに順次配置され、全体として平面視円形を呈するように形成されており、
且つ、前記上段シーソーキートップ及び下段シーソーキートップは、左右両端から対称的に形成されたサポートブリッジ部にて、それぞれ、フレームに連結されるとともに、該上段シーソーキートップの上端中央部はトーションアーム部を介してフレームの上辺に連結され、該下段シーソーキートップの下端中央部をトーションアーム部を介してフレームの下辺に連絡され、
上記中段シーソーキートップは、左右両端の上下から対称的に形成されたサポートブリッジ部にてフレームに連結されて成り、
更に、前記上中下段シーソーキートップの両端とフレームを連結するサポートブリッジ部は、略Ｚ字状に屈曲し、フレームとシーソーキートップ端部との間隔よりも全長が長くなるように構成されているキートップユニットを提供するものである。
【０００７】
【発明の実施の形態】
以下、この発明の実施の一形態を図に従って詳述する。図１は、キートップユニット１１を示し、シーソーキートップ部１２とその左のプッシュキートップ部１３を一体化したものである。
【０００８】
キートップユニット１１は、ＡＢＳ樹脂等の可撓性を有する合成樹脂にて一体成形されており、シーソーキートップ部１２の上中下三段のシーソーキートップ１４，１５，１６は、全体として円形にデザインされている。
【０００９】
上段シーソーキートップ１４の上端中央部は、シーソーキートップ１４，１５，１６を取囲むフレーム１７の上辺１７ａへ短いトーションアーム部１８を介して連結しており、上段シーソーキートップ１４の左右両端は、フレーム１７の右と中央の縦辺１７ｂ，１７ｃへサポートブリッジ部１９を介して連結している。
【００１０】
中段シーソーキートップ１５は、左右両端の上下とフレーム１７の右と中央の縦辺１７ｂ，１７ｃとを、サポートブリッジ部２０を介して連結されていて、下段シーソーキートップ１６は、上段シーソーキートップ１３と対称に、左右両端とフレーム１７の右と中央の縦辺１７ｂ，１７ｃをサポートブリッジ部２１を介して連結し、下端中央部をトーションアーム部２２を介してフレーム１７の下辺１７ｄへ連結している。
【００１１】
サポートブリッジ部１９，２０，２１はほぼＺ形に屈折していて、各シーソーキートップ１４，１５，１６とフレームの右と中央の縦辺１７ｂ，１７ｃとの間隔よりも全長が長くなっており、シーソーキートップ１４，１５，１６のシーソー運動を妨げないようにしている。
【００１２】
上段シーソーキートップ１４と下段シーソーキートップ１６は、トーションアーム部１８，２２と左右のサポートブリッジ部１９，２１とによってフレーム１７に対して位置決めされており、中段シーソーキートップ１５は、左右それぞれ二本のサポートブリッジ部２０によって位置決めされており、一体成形により三個のシーソーキートップ１４，１５，１６の相対的な位置関係は正確に維持されている。
【００１３】
図１及び図２に示すように、上段シーソーキートップ１４と下段シーソーキートップ１６には、裏面の左右中央の上端と下端から後方へ突出する二本の脚部２３，２４が形成されており、中段シーソーキートップ１５の裏面の中央には後方へ突出する一本の脚部２５が形成されている。
【００１４】
脚部２３，２４，２５の先端はアールがつけられていて、キートップユニット１１をスイッチ回路基板（図示せず）に取付けたときに、スイッチ回路基板の表面に接して各シーソーキートップの揺動支点となる。
【００１５】
キートップユニット１１をスイッチ回路基板に取付けて、上中下のシーソーキートップ１４，１５，１６の左または右を押せば、各シーソーキートップ１４，１５，１６は脚部２３，２４，２５の先端を支点としてシーソー運動する。このとき、上段シーソーキートップ１４と下段シーソーキートップ１６は、トーションアーム部１８，２２が捩じれ、左右のサポートブリッジ部１９，２１が撓んでシーソー運動し、中段シーソーキートップ１５は左右のサポートブリッジ部２０が撓んでシーソー運動してスイッチ回路基板上のスイッチを操作することができる。そして、打鍵操作を解除すれば、各シーソーキートップ１４，１５，１６は、樹脂素材の弾性復元力により初期状態に復帰する。
【００１６】
尚、図１において左側のプッシュキートップ部１３は、一列に配置された４個のプッシュキートップ２６，２７，２８，２９が、それぞれ二本のサポートブリッジ部３０を介してフレーム１７の中央の縦辺１７ｃに接続されていて、プッシュキートップ２６，２７，２８，２９を押せば、サポートブリッジ部３０が撓んでスイッチ回路基板上のプッシュスイッチが押され、打鍵操作を解除すれば弾性により初期状態に復帰する。
【００１７】
尚、この発明は上記の実施形態に限定するものではなく、この発明の技術的範囲内において種々の改変が可能であり、この発明がそれらの改変されたものに及ぶことは当然である。
【００１８】
【発明の効果】
以上説明したように、本発明のキートップユニットは、一体成形により成形するので、フレームとキートップの組立てが不要であり、各シーソーキートップの位置関係のばらつきが解消されて美観が向上するとともに、部品点数が削減されてコストも低下する。
また、上中下段シーソーキートップを連結するサポートブリッジ部は、略Ｚ字状に屈曲し、フレームとシーソーキートップとの間隔よりも全長が長くなるように構成されているので、上記上段、中段、下段の各シーソーキートップのシーソー運動を妨げることがない。
そして、上記上段シーソーキートップと下段シーソーキートップは、トーションアーム部と左右のサポートブリッジとによって、フレームに対して位置決めされており、中段シーソーキートップは左右それぞれ二本のサポートブリッジによって位置決めされており、一体成形によって三個のシーソーキートップの相対的な位置関係は正確に維持される。
【図面の簡単な説明】
【図１】本発明の実施の一形態を示し、キートップユニットの平面図。
【図２】図１のＡ−Ａ線矢視断面図。
【図３】従来例を示し、キートップユニットの平面図。
【符号の説明】
１１              キートップユニット
１２              シーソーキートップ部
１３              プッシュキートップ部
１４              上段シーソーキートップ
１５              中段シーソーキートップ
１６              下段シーソーキートップ
１７              フレーム
１８，２２        トーションアーム部
１９，２０，２１  サポートブリッジ部
２３，２４，２５  脚部
【図１】
0004306077.tif 000002
【図２】
0004306077.tif 000003
【図３】
0004306077.tif 000004